(57)【要約】【課題】  着用していることが他人からは全く気付かれないような歩数計を提供することことを課題とする。【解決手段】  身体側に向けて隠すようにして、バンドに取り付けられた歩数計の表側に、時計やバックルなどの身飾品を常には見える向きに設けて成る偽装式の歩数計とする。通常は歩数計は身体側に向けられて完全に隠され、他人には歩数計を着用しているとは全く気付かれないが、必要に応じ人目を避けながら身飾品を反すようにして歩数計の表示を見ることが出来ると言うものである。【選択図】図１
2009054121.tif 000002
【特許請求の範囲】
【請求項１】
身体側に向けて隠すようにして、バンドに取り付けられた歩数計の表側に、時計やバックルなどの身飾品を常には見える向きに設けて成る偽装式の歩数計。
【請求項２】
身体に装着したままで前記歩数計を反して見ることが出来るように、前記バンドが伸縮自在且つ捻転自在のものである、請求項１に記載の偽装式の歩数計。
【請求項３】
前記身飾品と一体の前記歩数計が、前記バンドに対して着脱自在に設けられている、請求項１に記載の偽装式の歩数計。
【請求項４】
前記身飾品と一体の前記歩数計が回転軸を備えており、該回転軸が前記バンドに設けられた軸受けに回動自在に軸支されている、請求項１に記載の偽装式の歩数計。
【請求項５】
前記身飾品と前記歩数計とが着脱自在に設けられている、請求項１に記載の偽装式の歩数計。
【発明の詳細な説明】
【技術分野】
【０００１】  この発明は、歩数計（ペドメター）いわゆる万歩計（登録商標）に係るものであり、更に詳しくは歩数計を装着しているにもかかわらずそれと分からないように時計やバックルなどの身飾品に偽装させ、必要に応じて歩数計の表示盤面を見ることが出来るようにした偽装式の歩数計に関する。
【背景技術】
【０００２】  時計と歩数計とを一体化したものとしては、実開平０６−０２２３２３号の「万能ベルト」や実開昭６３−１３９６６６号の「デジタル時計つき万歩計」がある。実開平０６−０２２３２３号はベルトに設けられた箱状のバックル部の上面に方位磁石が、前面に時計が、背面に体温計の検出部が、側面の見える部位に温度計と歩数計が取り付けられているものであり、この万能ベルトを一つ装着するだけで色々な情報を得ることが出来ると言う。また実開昭６３−１３９６６６号は歩数計の表示盤面の中にデジタル時計を取り付けて成り、歩数計を見れば同時に時刻が分かり、時計を見れば同時に歩数が分かって便利であると言う。
【特許文献１】  実開平０６−０２２３２３号公報
【特許文献２】  実開昭６３−１３９６６６号公報
【発明の開示】
【発明が解決しようとする課題】
【０００３】  運動不足や肥満の解消のためにウォーキングが推奨されて久しく、歩数を測って「良く歩いた」か「運動不足か」を表示して見せるための道具として歩数計が用いられて来た。ちなみに一万歩を歩くと３００キロカロリーのエネルギー消費が得られると言う。【０００４】  ところでウォーキングをしたいのはやまやまなれど「運動不足や肥満の解消のためにウォーキングをしている」とは思われたくなく、それとはっきり分かってしまうような歩数計を着用しない人が多くいるのが現状である。ところが一般的な歩数計は実によく目立つと言う点に問題がある。一方上述した実開平０６−０２２３２３号や実開昭６３−１３９６６６号の技術によれば、各種の機能が複合化されておりこれ等を携帯していれば確かに便利ではあるが、やはりよく目立つ歩数計を備えているため、人目が気になると言う欠点がある。なお上述した技術では各種計器の複合化のために高級感が出せないのも問題である。そもそも歩数計には高級感がない。【０００５】  そこでこの発明は、歩数計を着用していても他人には全く分からないような、そうした歩数計を提供することを目的とする。
【課題を解決するための手段】
【０００６】  上記課題は、身体側に向けて隠すようにして、バンドに取り付けられた歩数計の表側に、時計やバックルなどの身飾品を常には見える向きに設けて成る偽装式の歩数計とすることにより達成される。歩数計は身体側に向けられて完全に隠され、他人には歩数計を着用しているとは全く気付かれない。人に見られる側には時計やバックルなどの身飾品があるため、着用しているものはこの身飾品であるとしか分からないのである。しかしながら裏では歩数計が完全に機能しており、必要に応じて人目を避けながら歩数計の表示を見ることが出来るのである。なお時計やバックルなどの身飾品のデザインでは、そのグレードをいくらでも高くして高級感を表わすことが可能である。【０００７】  なお身体に装着したままで前記歩数計を反して見ることが出来るように、前記バンドが伸縮自在且つ捻転自在のものとすることが出来る。時計やバックルなどの身飾品を身体から離れる方向に引くとバンドが伸長するので、身体側にあって隠されている歩数計を反して見ることが出来る。歩数の確認が終わったならば元の状態に戻すことは容易である。【０００８】  また前記身飾品と一体の前記歩数計が、前記バンドに対して着脱自在に設けられているものとすることが出来る。歩数を確認したい時は歩数計を身飾品ごとバンドから取り外すようにする。そして使用が終わったならば再び歩数計をバンドに取り付けるようにすれば、身体側に向いた状態の歩数計は全く見ることが出来なくなり、他人には時計やバックルなどの身飾品としか見えないのである。【０００９】  また前記身飾品と一体の前記歩数計が回転軸を備えており、該回転軸が前記バンドに設けられた軸受けに回動自在に軸支されているものとすることが出来る。歩数の確認に際しては、これまで身体側にあって外からは見えない歩数計を、前記回転軸を以て１８０度回動させれば歩数を確認することが可能な状態となる。確認したら１８０度回動させて元の状態に戻すようにすれば良い。この一連の動作は極めて素早く行うことが出来るため、他人にそれと気付かれることがないと言う特長がある。【００１０】  また前記身飾品と前記歩数計とが着脱自在に設けられているものとしても良い。従って例えば時計やバックルなどの身飾品を前記バンドに固定的に設けておき、この身飾品に対して歩数計を着脱自在とする構成が可能であり、これにより身飾品の裏側に隠されていて外からは見えない歩数計は、必要な時だけ身飾品から外して、用を終えたならば再び身飾品の裏側に取り付け直すと言う操作が可能になる。
【発明の効果】
【００１１】  この発明の歩数計によれば、表側に時計やバックルなどの身飾品を見えるようにしてバンドに取り付け、この裏側に、歩数計を身体側に向けて隠すようにして取り付けて、完全に身飾品に偽装してしまうことにより、他人には歩数計を装着していると言う事実を全く知られないようにすることが出来ると言う効果を奏する。なお表面的には身飾品としてしか見えないため、いくらでも高級感を出すことが可能である。
【発明を実施するための最良の形態】
【００１２】  第１実施形態
この実施形態の腕時計偽装式歩数計を図１及び図２で表わす。図１は歩数計側（裏側）を表わす背面図であり図２は腕時計側（表側）を表わす正面図である。【００１３】  図２の腕時計１は高級仕様であり、図には手巻のための竜頭１０、ベゼル１２、サファイアガラスの窓１３、時針１４、ラップタイム計測などの操作のためのボタン１６が設けられている。符号３はバンドを指す。その裏側には、正にここにこのようなものが装備されているとは思いもよらないことなのであるが、歩数計２が設けられている。この歩数計２は腕時計１の裏側の裏蓋１１の中央部をくり抜いて指針２０などが見えるように構成されている。ボタン１５は歩数計２を操作するためのものであるが、表面的にはボタン１６と同様に腕時計１を操作するためのものと見せ掛けられている。【００１４】  従って通常の着用では歩数計２の側が腕に密着することになり、他人に歩数計２を着用していることが知られることは全くない。これにより会議や会合などのフォーマルな場所にも着用して行けるわけであり、これまでのように時計を取り替える必要がないため、その行き帰りの歩数も日常計測している歩数に加えることが出来、一日の正確な歩数を割り出すことが可能になる。なおこの歩数計２を見るにはバンド３を緩めるようにする。【００１５】  第２実施形態
次に図３はブレスレット偽装式の歩数計を表わす。身飾品としての貴金属製のブレスレット４の裏側に、表示面を腕側に向けるようにして歩数計５が設けられている。またこのものは伸縮捻転バンド６によって腕に着用するものであるが、伸縮捻転バンド６であるが故にブレスレット４を反して歩数計５を見ることが極めて容易である。再度歩数計５を隠すにはブレスレット４を元の姿勢に戻せば良い。ブレスレット４は伸縮捻転バンド６の軽い締め付け力によって腕に良くフィットし、歩数計５をうまく隠すことが出来るのである。【００１６】  第３実施形態
次に図４はバックル偽装式の歩数計を表わす。身飾品としての御洒落なバックル７は腰に装着するベルト９にオス・メス一対の面ファスナー９０により仮固定されている。実はこのバックル７の裏側に歩数計８がその表示面を身体側に向けるようにして取り付けられている。このため歩数計８はバックル７に隠されてその存在が知られることはない。この歩数計８の表示を見るには、バックル７を強く掴んでベルト９から引き離すようにすれば良い。面ファスナー９０は再接着再剥離が可能であるから、バックル７すなわち歩数計８の取り付け取り外しは容易である。なお面ファスナー９０歩数計８の図示しない表示部を隠さないように外して設けられている。【００１７】  第４実施形態
次に図５は腕時計偽装式の歩数計を表わす。この図では腕時計１７（表側）が正面図で表わされており、裏側の歩数計２１は鎖線で表わされている。腕時計１７はバンド端部３１の回動軸３２を介してバンド３０に回動自在に取り付けられている。従って、これは人知れず行うわけであるが、腕時計１７を回動軸３２によって１８０度反すように操作するだけで裏側の歩数計２１を表側に持って来ることが出来るようになる。【００１８】  第５実施形態
次に図６は腰に装着するバックル偽装式の歩数計を表わす。この実施形態の歩数計８０はその表示面８１を表側に向けるようにして、ベルト９１に固着部９２によって固着されている。一方でバックル７０はその裏側に、前記歩数計８０をピタリと嵌め込むことが出来る嵌合溝７１が形成されている。従ってバックル７０の嵌合溝７１に歩数計８０を嵌め込むようにして両者を一体化させて、歩数計８０をバックル７０で隠してしまえば、その存在は他人には分からないものとなる。
【産業上の利用可能性】
【００１９】  この発明では歩数計にアナログ表示式のものを例示したが、デジタル表示式のものによってもこの発明を構成することが可能である。環境が暗くなって歩数表示が見え難い場合に備えて、歩数計の表示面にバックライトなどの照明手段を設けたり、アナログ表示式のものでは指針に夜光塗料・蓄光塗料を塗布しておくことも好ましい。なお他人がいない場所での使用を前提に、例えば１０００歩を達成する毎に音声でアナウンスするなどの音声報知手段を設けるようにしたり、あるいは夜間であればフラッシュライトを発光して歩数を通知する発光報知手段を設けるなどして、これ等の機能を選択し得るように設計しても良い。
【図面の簡単な説明】
【００２０】
【図１】  第１実施形態の腕時計偽装式歩数計の歩数計側を表わす背面図である。
【図２】  同実施形態の腕時計側を表わす正面図である。
【図３】  第２実施形態のブレスレット偽装式歩数計の斜視図である。
【図４】  第３実施形態のバックル偽装式歩数計の側面図である。
【図５】  第４実施形態の腕時計偽装式歩数計の腕時計側を表わす正面図である。
【図６】  第５実施形態のバックル偽装式歩数計の側面図である。
【符号の説明】
【００２１】１    腕時計
１０  竜頭
１１  裏蓋
１２  ベゼル
１３  窓
１４  時針
１５  ボタン
１６  ボタン
１７  腕時計
２    歩数計
２０  指針
２１  歩数計
３    バンド
３０  バンド
３１  バンド端部
３２  回動軸
４    ブレスレット
５    歩数計
６    仲縮捻転バンド
７    バックル
７０  バックル
７１  嵌合溝
８    歩数計
８０  歩数計
８１  表示面
９    ベルト
９０  面ファスナー
９１  ベルト
９２  固着部
【図１】
2009054121.tif 000003
【図２】
2009054121.tif 000004
【図３】
2009054121.tif 000005
【図４】
2009054121.tif 000006
【図５】
2009054121.tif 000007
【図６】
2009054121.tif 000008